Podtech/llm-jp-corpus-v4-ja_patent huggingface dataset:
(57)【要約】      （修正有）【課題】  従来の盤ゲームは将棋・チェスなどのゲームは駒の種類や個数が多く、ルールの複雑さの点で改良の余地がある。【解決手段】  本発明の盤ゲームは縦横７×７以内の升目を有する盤と八角形状の駒に星座図柄を表記したものをゲーム当事者の誕生月のみを選んで使用するポイント駒（主駒）とし、先手と後手が書く一定の升目に配列して作戦展開する。  ゲームの終了は相手のポイント駒（主駒）を包囲することでゲームが終了となる。【選択図】図１
2006061647.tif 000002
【特許請求の範囲】
【請求項１】
縦横７×７以内の升目を有する盤と八角形状の駒の表面に誕生月である図柄（１月〜１２月）を表記し、八角角点に進行方向ボタンを装着できる柱上穴を設け一定の配列をなし先手後手の順序でポイント駒を包囲することを目的とした特徴ある盤ゲームである。
【請求項２】
縦横７×７以内の升目を有する盤と八角形状の駒の表面に１月〜１２月の誕生月の星座を各駒に表記し、八角形の角点に駒の進行可能方向を示した線を記した１月〜１２月の１２枚の駒とゲーム者の誕生月を示した別な主駒１枚の合計１３枚の駒を盤面に配列をなし先手、後手の順序で主駒を包囲することを目的とした特徴ある盤ゲームである。
【請求項３】
縦横７×７以内の升目を有する盤と八角形状の駒の表面に１月〜１２月の誕生月の誕生石を各駒に表記し八角形の角点に駒の進行可能方向を示した線を記した１月〜１２月の１２枚の駒とゲーム者の誕生月を示した別な主駒１枚の合計１３枚の駒を盤面に配列をなし先手、後手の順序で主駒を包囲すること目的とした特徴ある盤ゲームである。
【請求項４】
縦横７×７以内の升目を有する盤と八角形状の駒の表面に１２支を各駒に表記し八角形の角点に駒の進行可能方向を示した線を記した１月〜１２月の１２枚の駒とゲーム者の誕生月を示した別な主駒１枚の合計１３枚の駒を盤面に配列をなし先手、後手の順序で主駒を包囲すること目的とした特徴ある盤ゲームである。
【発明の詳細な説明】
【技術分野】
【０００１】  本発明は駒の表面に星座などの図柄を用い駒数を少なくし、進行可能方向をを有効に活用することにより作戦の多様性を持ちゲーム参加者の思考力増進の効果を有する盤ゲームである。
【背景】
【０００２】  従来の盤ゲームは将棋・チェスなどのゲームが知られているが、駒の種類や個数が多いこと、またそのルールの複雑さの点で、改良の余地がある。これらの解決をするため本発明をした。
【発明が解決しようとする課題】
【０００３】  本発明は駒数を少なくし、駒に進行方向を表記することでルールがわかりやすくなり、誰にでも親しみやすく、しかも作戦の多様性も持ち勝負の面白さを発揮できる盤ゲームで前項の欠点を解消することを目的とするものである。
【課題を解決するための手段】
【０００４】  本発明の盤ゲームは縦横７×７以内の升目を有する盤と八角形状の駒に星座図柄を表記したものをゲーム当事者の誕生月のみを選んで使用するポイント駒（主駒）とし、先手と後手が書く一定の升目に配列して作戦展開する。
ゲームの終了は相手のポイント駒（主駒）を包囲することでゲームが終了となる。
【発明の効果】
【０００５】  本発明の盤ゲームは先手、後手の両者が戦い駒の星座駒を戦わせて取り合ってお互いに阻止し合いながら主駒であるポイント駒を攻略する作戦を展開し、最終的にポイント駒（主駒）を包囲したときにゲームは終了する。
戦い駒の進行可能方向を有効に活用し相手の主駒を包囲する作戦を幅広く多様性の富んだ作戦を考えることができ、ゲーム参加者の思考力の増進効果や幅広い楽しみを提供することができる。
以上、本発明の効果が発揮される。
【発明実施の形態】
【０００６】以下、本発明の実施の形態について図をもって説明する。
図１．示されているのは本発明の７×７の升目を持った盤面。
図２．八角形状の駒に１２ヶ月の星座を各表示しさらに進行可能方向を表示した駒、これを戦う駒とする。
図３．八角形状の駒に１２ヶ月の星座を各表示した駒はゲーム参加当事者が自分の誕生日の駒のみを選んでポイント駒（主駒）とする。
【図面の簡単な説明】
【０００７】    図１．盤面
図２．主になる駒（王様）
図３．戦う駒
図４．方向ケース
【図１】
2006061647.tif 000003
【図２】
2006061647.tif 000004
【図３】
2006061647.tif 000005
【図４】
2006061647.tif 000006
(57)【要約】【課題】従来の脚部が分割、分離されるベッドでは分割、分離する時分割されたマットレスがこすれたりしてマットレスがずれる場合がある。【解決手段】脚部が分割、分離されるベッドにおいて本体マットレス受け金網に面マジックベルトを取り付けマットレスカバーに面ファスナーベルトを縫い付ける。【選択図】図３
2006061644.tif 000002
【特許請求の範囲】
【請求項１】
脚部が分割、分離されるベッドにおいてマットレスを面ファスナーでベッド本体と固定させ、分割、分離時のマットレスとベッド本体のズレを防止する器械。
【発明の詳細な説明】
【発明の詳細な説明】
【技術分野】
【０００１】本発明は年長者や身障者の介護の用に供する病院等における患者（年長者、身障者等で以下患者等という）のベッドへの出入りの際に患者等や介護者の負担を軽減できるようにした脚部が分割、分離されるベッドに関する。
【背景技術】
【０００２】従来の脚部が分割、分離されるベッドではマットレスを本体と紐で固定させてある。
【発明が解決しようとする課題】
【０００３】従来の脚部が分割、分離されるベッドでは分割、分離する時分割されたマットレスがこすれたりしてマットレスがずれる場合がある。また、マットレスの脱着に時間がかかる。
【課題を解決するための手段】
【０００４】〔図１〕平面図に示す面ファスナー▲１▼をマットレスカバー▲２▼の所定位置に縫い付け〔図２〕平面図に示す面ファスナーベルト▲４▼をベッド本体▲５▼マットレス受け金網▲３▼のマットレスカバー▲２▼の面ファスナー▲１▼に位置するところに取り付ける。
所定の位置とは、金網の形状、マットレスの形状等を考慮して定め図示の位置、形状だけではない。
【発明を実施するための最良の形態】
【０００５】この発明の実施形態を〔図１〕〔図２〕に平面図で示す。〔図１〕においては面ファスナー▲１▼をマットレスカバー▲２▼の所定位置に縫い付けた状態を平面図で示してある。〔図２〕に面ファスナーベルト▲３▼をベッド本体▲５▼マットレス受け金網▲３▼のマットレスカバーの面ファスナーに位置するところに取り付けた状態を平面図で示す。
【実施例】
【０００６】実施例を図面を参照にして説明する。
〔図３〕においては側断面図でベッド本体▲５▼マットレス受け金網▲３▼に取り付けられた面ファスナーベルト▲４▼とマットレスカバー▲２▼に縫い付けられた面ファスナー▲１▼によってベッド本体▲５▼にマットレス▲６▼が取り付けられた状態が背上げを上げた状態で示され背上げ部マットレスカバーバンド▲６▼は背上げ部フレーム▲７▼と滑動した状態で示されている。〔図４〕においては側断面図で背上げを下げた状態で示されている。〔図５〕には断面詳細図でマットレス受け金網▲３▼に取り付けられて面ファスナーベルト▲４▼とマットレスカバー▲２▼に縫い付けられた面ファスナー▲１▼によってベッド本体▲５▼にマットレス▲６▼が取りつけられた状態が示されている。
【発明の効果】
【０００７】従来の脚部が分割、分離されるベッドでは分割、分離される時分割されたマットレスがこすれたりしてマットレスがずれる場合があった。紐で固定しても結び代がありずれたり、脱着に時間がかかっていたのを解決できる。
【図面の簡単な説明】
【図１】面ファスナーをマットレスカバー所定位置に縫い付けた平面図である。
【図２】面ファスナーベルトをベッド本体マットレス受け金網のマットレスカバーの面ファスナーに位置するところに取り付けた平面図である。
【図３】ベッド本体にマットレスが取り付けられ背上げを上げた側断面図である。
【図４】ベッド本体のマットレス受け金網に取り付けられた面ファスナーベルトとマットレスカバーに縫い付けられた面ファスナーによってベッド本体とマットレスが取り付けられて内部を示した側断面図である。
【図５】ベッド本体のマットレス受け金網に取り付けけられた面ファスナーベルトとマットレスカバーに縫い付けられた面ファスナーによってベッド本体とマットレスが取り付けられて内部を示した断面詳細図である。
【符号の説明】
▲１▼面ファスナー
▲２▼マットレスカバー
▲３▼マットレス受け金網
▲４▼面ファスナーベルト
▲５▼ベッド本体
▲６▼背上げ部マットレスカバーバンド
▲７▼背上げ部フレーム
【図１】
2006061644.tif 000003
【図２】
2006061644.tif 000004
【図３】
2006061644.tif 000005
【図４】
2006061644.tif 000006
【図５】
2006061644.tif 000007
(57)【要約】【課題】この発明は、ベットに寝ているとき足先に停留するものがなく、寝返りをしても体位が安定せず、腰を上げるときや、頭の方向に移動するときも膝を曲げてからの蹴り上げが困難で、起き上がるときも足に力が伝達されず、腰を支点とした腹部のみに力が集中して、下半身は不安定になるので、その体型に対応して体位安定台座を提供することを目的とするものである。【解決手段】この発明に係る体位安定台座は、発泡成形品又は強化プラスチック材、木材等を用いて、一辺に階段状の段差を設けた立方体で、段差面は滑り止めと適度な厚さを有し、折りたたみ可能な補正台をベット足側端と足踵の隙間を吸収閉塞してシーツ上に配置することにより、その身体に合った足当て面に踵を当て、足の運動と床ずれ防止、体位補正、起き上がり等に用いられるものである。【選択図】  図１
2006061642.tif 000002
【特許請求の範囲】
【請求項１】
ベットの足側端と身体の踵との隙間を吸収閉塞して補正される一辺に階段状の段差を設けた立方体で、各種組み合わせの段差面は適度な厚さを有し、踵を当てる面は滑らないよう粗面仕上げを用いて形成され、折りたたみ可能な補正台からなることを特徴とする体位安定台座。
【発明の詳細な説明】
【技術分野】
【０００１】  本発明は、ベット用の体位安定台座に関する。
【背景技術】
【０００２】  従来のベット用マットレスの足安定器、アキレス腱の足枕、仰臥姿勢の足載せ座はある。【０００３】
【特許文献１】  特開平０７−０９５９１６号公報
【特許文献２】  特開平１０−０４３００４号公報
【特許文献３】  特開２００３−１８０４８４号公報
【特許文献４】  特開平０７−２２２７７１号公報
【発明の開示】
【発明が解決しようとする課題】
【０００４】  しかしながら、上述している足枕やクッションでは、体位の補正、足の運動不足解消、床ずれ防止、起き上がりについて、特に高齢者に対して配慮されていない。【０００５】  この発明は、上記に鑑み病人や高齢者のみならず、女性・子供、健康な普通の人にも配慮して、足を利用した体位安定台座を提供する事を目的とするものである。
【課題を解決するための手段】
【０００６】  ベットの足側端と身体の足先との隙間を吸収閉塞して補正される一辺に階段状の段差を設けた立方体で、各種組み合わせの段差面は適度な厚さを有し、踵を当てる面は滑らないよう粗面仕上げを用いて形成された補正台からなることを特徴とする体位安定台座。【０００７】  前記体位安定台座は、従来の腰支点による体位補正ではなく、踵支点補正を実現可能にした、身体重心と踵支点のモーメントを最大に作用することで、同じ補正距離を移動する場合、掛ける力は少なく、踵支点の有効性を持つ特徴とするものである。【０００８】  本発明の体位安定台座は、複数の段差を設けた表裏の区別が無く、ヒンジ結合による折りたたみ形式を取り入れることにより、あらゆる体位に対応した両足の踵の当て方の選択肢が多くなり、生理的な足の要望にこたえることが可能な足の補正台として用いる事を特徴とするものである。
【発明の効果】
【０００９】  上記のように構成される本発明に係る体位安定台座によれば、ベット足側端と足踵との隙間を吸収閉塞して補正台をセットすることにより、足当て面に当てた踵に少しの力を加えて体位を変更したり、頭側に自力で容易に移動することが出来る。【００１０】  ベットに寝た状態で、補正台の足当て面に踵を当て膝を屈伸することにより、足の運動不足の解消と、足つぼ刺激と同時に、床と身体の間に心地よい摩擦が生じて身体全体の血行が良くなり、床ずれの防止ができる。【００１１】  ベット上で足を台座に当て、起き上がろうとするとき、足から全身に力が分散され、施術後でも腹部の緊張が和らぎ容易に起き上がる事が出来るが、女・子供でも折りたたむと足に当てる面積が多くなり効率的利用を可能になる。【００１２】  寝ながら足裏を軽く刺激したり、ベット横フロアーに補正台を配置し、平面状に載置される足踏み台として使用可能であり、足を刺激することにより血行を良くし、新陳代謝を促進させ、自然治癒力を高め、足のむくみ、冷え性等の効果は絶大である。【００１３】  補正台を使用しないときは、そのまま掛け布団をかけたままにして置いても特に問題は無いが、長時間使用しないときは、ベット足側端に立掛けると掛け布団の安定が良くなる。
【発明を実施するための最良の形態】  以下、この発明に係る体位安定台座の実施形態につき、添付図面に基づいて説明する。【００１４】  図１は、この発明に係る体位安定台座を形成する補正台１を示す山形段差であり、図２は、同じ補正台１を示す谷型段差、図３も、同じ補正台１を示す型落ち段差の、それぞれの斜視図である。【００１５】  図４は、上記の各種組み合わせた段差２と、縦方向折れ目５にヒンジ結合６・７した折りたたみ式の一例を示す斜視図である。【００１６】  この発明に係る補正台１は、強固で軽量な材を用いた適度な厚さを有する立方体で、段差部分２は、面取りや、角を取り丸みを付けて足の触りを和らぐ形状にし、特に足当て面３は粗面仕上げを配慮した表面処理をするもので、数枚分割の折りたたみ式とすることで、さらに利便性や有用性を高めるものである。【００１７】前記の補正台１の成型材として、例えば発泡成形品、強化プラスチック、木材等で形成し、表面強化処理の上、ファッション性やデザイン性を高めるものであってもよい。
【産業上の利用可能性】
【００１８】医療機関、介護関係施設、老人フォーム等で利用することが可能である。
【図面の簡単な説明】
【００１９】
【図１】山型階段を示す斜視図である。
【図２】谷型階段を示す斜視図である。
【図３】型落ち階段を示す斜視図である。
【図４】各種組み合わせた一例を示す斜視図である。
【図５】利用状況を示す側面図である。
【図６】ヒンジ接合を示す側面図である。
【符号の説明】
【００２０】  １  補正台
２  段差
３  足当て面（すべり止め）
４  病床（ベット）
５  台座折れ目
６  蝶番結合
７  シール式結合
【図１】
2006061642.tif 000003
【図２】
2006061642.tif 000004
【図３】
2006061642.tif 000005
【図４】
2006061642.tif 000006
【図５】
2006061642.tif 000007
【図６】
2006061642.tif 000008
(57)【要約】【課題】車両等の洗車に用いる洗車ブラシの形状は、長く使用している間にブラシの先端のみだけが消耗して短くなり、根元部分だけが長く残っていた。ところが、根元部分だけでは容易に洗車が出来ない。【解決手段】柄である本体４とブラシ固定部分の３を分離させブラシ固定部分３を１８０度回転させる。本体４とブラシ固定部分３は、ドライバーを使いビスで固定させる。【選択図】図１
2006061649.tif 000002
【特許請求の範囲】
【請求項１】
ブラシを固定しているブラシ固定部分３と、柄であるブラシ本体４を分離させる事により、前記ブラシ固定部分３をブラシ本体４に対して少なくとも１８０度回転し、前後を逆にするための回転軸２と、を有する事を特徴とする洗車ブラシ。
【請求項２】
前記ブラシ本体４に対し、ブラシ固定部分３を取り外しするためには、回転軸２はビスとし、その回転軸２のビスはブラシ固定部分３のブラシ側から取り付けるようにし、そのビスをゆるめる事により、前記ブラシ本体４とブラシ固定部分３を引き離した状態にする事でブラシ固定部分３が１８０度回転することが可能となる事を特徴とする請求項１に記載の洗車ブラシ。
【発明の詳細な説明】
【技術分野】
【０００１】  この発明は、車両等の洗車に用いる洗車ブラシの形状に関する。
【背景技術】
【０００２】  従来の車両などの洗車に用いる洗車ブラシの形状は、図４にしめすように柄である本体４の先端にブラシ１が設けられたものである。
【発明の開示】
【発明が解決しようとする課題】
【０００３】しかしながら、以上の技術によれば、長く使用している間にブラシ１の先端のみが消耗して短くなり、図４のように根元だけが長く残ってしまっていた。ところが、根元部分では洗浄が容易に出来ない。
そこで、この発明は、ブラシ固定部分３を１８０度回転させてやる事により、全体的にかつ均一にブラシを有効利用できる洗車ブラシを提供する事を課題とする。
【課題を解決するための手段】
【０００４】  以上の課題を解決するために、第一発明は、ブラシ固定部分３のみを１８０度回転させる事を特徴とした洗車ブラシである。
また、第二発明は、ブラシ固定部分３のみを１８０度回転させ、このブラシ固定部分３はドライバー一本で分離出来るように、回転軸２はビスで止める事を特徴とする洗車ブラシである。
【発明の効果】
【０００５】  第一発明、または第二発明によれば、ブラシ固定部分３のみを１８０度回転させてやる事により、ブラシ両端を有効利用でき節約になる。
【発明を実施するための最良の形態】
【０００６】  この発明の一実施形態を、図１と図２と図３に示す。
洗車ブラシの柄である本体４はプラスチック製であり、この本体４の先端にはナイロン製のブラシ１が設けられている。このブラシ１とブラシ固定部分３は一体になっているが、本体４とは図３のように分離するため、回転軸２となるビスで止められる。すなわち図２のように、ブラシ１の毛列８は、全体で楕円形をなし、しかも同心の２列でドーナツ状態に設けられるが、その楕円形の中心には、ブラシ固定部分３に小さな円筒状の空洞部分５が形成され、その空洞部分の底部にはビス貫通孔６が形成される。そしてビスをこの空洞部分５を通して、ビス貫通孔６から、本体４のビス孔７に螺合させる。固定部分３を回転するときは、この螺合をゆるめる。【０００７】「実施形態の効果」
この実施形態によれば、一体になったブラシ１とブラシ固定部分３が１８０度回転する働きで、図４のようなブラシの消耗のかたよりをなくす事が出来る為、ブラシ１を無駄なく均一に使う事が出来る。また、ビスはドライバー一本で簡単に取り外せる。【０００８】「他の実施形態」
図１と図２と図３の実施形態では、１８０度回転させるために回転軸２にビスを使用したが、他の実施形態では、ブラシ固定部分３をはめ込み式にしたものでもよい。
【図面の簡単な説明】
【０００９】
【図１】この発明の洗車ブラシのブラシ固定部分３を１８０度回転させた後を側面から見た図である。
【図２】図１の、ブラシの取り付いた側を上面から見た図である。
【図３】図１の本体４とブラシ固定部分３を１８０度回転させた後に分離させた図である。
【図４】従来技術を示す斜視図である。
【符号の説明】
【００１０】    １  ブラシ    ２  回転軸（ビス）    ３  ブラシ固定部分
４  柄である本体    ５  空洞部分    ６  ビス貫通孔
７  本体４のビス孔    ８  ブラシ１の毛列    ９  ホース差込口
【図１】
2006061649.tif 000003
【図２】
2006061649.tif 000004
【図３】
2006061649.tif 000005
【図４】
2006061649.tif 000006
(57)【要約】【課題】  味噌汁を作る時に、わずらわしい手間をかけず、しかも素早く清潔に味噌をお湯に溶け出させる事を目的とした、線状味噌押し出し具を提供する。【解決手段】  味噌汁本体１の両側に、Ｌ字状に漏れを防ぐ壁３，４、を持ち、壁３の下部に多くの細い穴２を付ける、そこに味噌の漏れを防ぐシート６を持った事を特徴とする。【選択図】  図１
2006061658.tif 000002
【特許請求の範囲】
【請求項１】
味噌入れ本体１の両側に、Ｌ字状に漏れを防ぐ壁３、４、を持ち、壁３の下部に多くの細い穴２を付ける、そこに味噌の漏れを防ぐシート６を持った線状味噌押し出し具。
【発明の詳細な説明】
【技術分野】
【０００１】  この発明は、味噌入れの片隅に小さい多くのあなを持った、線状味噌押し出し具に関する物である。
【背景技術】
【０００２】    従来、味噌をとぐ時、煮えたぎった湯の上におたま、又は、網のざる等に味噌を入れ箸等で溶いていた。
【発明の開示】
【発明が解決しようとする課題】
【０００３】  これは次の様な欠点があった。
（イ）熱湯の上で味噌をとぐ作業をするので手が非情に熱いし、時間もかかり、常に人数分の味噌の量を入れるのがむずかしかった。
本発明は、これらの欠点を除くためになされた物である。
【課題を解決するための手段】
【０００４】  味噌入れ本体１の両側に、Ｌ字状に漏れを防ぐ壁３，４、を持ち、壁３の下部に多くの細い穴２を付ける、そこに味噌の漏れを防ぐシート６を付ける。
本発明は、以上の様な構成よりなる線状味噌押し出し具である。
【発明の効果】
【０００５】  本発明は、以上の様な構造でこれを使用するときは、シート６をはがしＡ，部とＢ，部を親指と人指し指が掛かる様にしたあと、穴２の方を下にし、煮えたぎったお湯が入ってる鍋の上に持っていく、そして力を入れＡ，部とＢ，部をＣとＤの方に押し近づける様にすれば、中に入っている味噌５は圧力によって数多くの細い状態のまま、煮えたぎったお湯の中に入っていくので、かき回すとか、とぐと云う作業をせずに一瞬にして味噌汁になってしまうものである。
なお壁３と４は折り曲げやすい様にする為、細い溝７を付け、一体成型した方が良い。
【発明を実施するための最良の形態】
【０００６】  以下、本案の実施の形態について説明する。
（イ）味噌いれ本体１の両側にＬ字状に漏れを防ぐ壁３、４、を付ける。
（ロ）壁３の下部に多くの細い穴２をもうける。
（ハ）味噌の漏れを防ぐシート６を穴２の所に付ける。
本案を使用する時は、シート６をはがしＡ，部とＢ，部を親指と人指し指が掛かる様にした後、穴２の方を下にし、煮えたぎったお湯が入っている鍋の上に持っていくそして力を入れＡ，部とＢ，部をＣとＤの法に押し近づける様にすれば、中に入っている味噌５は圧力によって数多くの細い状態のまま煮えたぎったお湯の中に入っていくので、かき回すとか、とぐと云う作業をせずに一瞬にして味噌汁になってしまうものである。
【図面の簡単な説明】
【０００７】
【図１】  本発明の斜視図である。
【図２】  味噌の漏れを防ぐシートの斜視図である。
【図３】  本発明の断面図である。
【符号の説明】
【０００８】      １  味噌入れ本体      ２  味噌の出る穴      ３  味噌の漏れを防ぐ壁      ４  味噌の漏れを防ぐ壁      ５  味噌      ６  味噌が出るのを防ぐシート      ７  おれ曲げやすくする細い溝
【図１】
2006061658.tif 000003
【図２】
2006061658.tif 000004
【図３】
2006061658.tif 000005
(57)【要約】【課題】  バスタオルを乾かす装置を提供する。【解決手段】中空箱の上部に温風送風機を設け、外部から取り込んだ空気を温風化し、中空箱を介し排出することにより、掛けたタオル等を乾かす器具。タオル掛けに装着し使用する。【選択図】図１
2006061657.tif 000002
【特許請求の範囲】
【請求項１】
中空箱の上部に温風送風機を設け、外部から取り込んだ空気を温風化し、中空箱を介し排出することにより、掛けたタオル等を乾かす器具。
タオル掛けに装着し使用する。
【発明の詳細な説明】
【技術分野】
【０００１】本発明は中空箱に温風送風機をつけた、バスタオル等を乾燥させる装置である。
【背景技術】
【０００２】（イ）お風呂上りに、体を拭く際、一人一枚バスタオルを使用していた。
（ロ）お風呂上りに、体を拭く際、前に入った人が使用したバスタオルを使用していた。
【発明の開示】
【発明が解決しようとする課題】
【０００３】そのために次のような問題点があった。
（イ）一人一枚のバスタオルを使用すると、洗濯物が増える。
（ロ）拭き取りが悪く不衛生で、冬場等、気温の低い時は冷たく感じる。
本発明は、これらの問題点を解決するためになされたものである。
【議題を解決する為の手段】
【０００４】中空箱の上部に温風送風機を設け、外部から取り込んだ空気を温風化して、中空箱を介し排出する事により、掛けたタオル等を乾かす器具。
【発明の効果】
【０００５】使用後のバスタオルを乾かすことにより、複数人が衛生的に繰り返し使用できる。その為、使用するバスタオルの枚数を減らす事が出来る。
【発明を実施するための最良の形態】
【０００６】以下、本発明の実施の形態について説明する。
（イ）中空箱（１）の上部に２箇所、温風送風機（２）を設け、外部から取り込んだ空気を温風化し、排気孔（３）より排出する。
中空箱（１）は、上部の２つのフック（４）でタオル掛けに設置する。
温風化された送風により、バスタオルを乾かす事ができる。
タイマー（５）をつけると、節電もでき、便利である。
【図面の簡単な説明】
【０００７】
【図１】本発明の斜視図
【図２】本発明の側面図
【符号の説明】
【０００８】１中空箱
２温風送風機
３排気孔
４フック
５タイマー
【図１】
2006061657.tif 000003
【図２】
2006061657.tif 000004
(57)【要約】【課題】  剥き身の牡蠣を殻焼き牡蠣に近い状態に調理する。【解決手段】  鍋１に剥き身の牡蠣を入れて蓋２を被せて直接火にかける。【選択図】  図１
2006061656.tif 000002
【特許請求の範囲】
【請求項１】
剥き身の牡蠣から牡蠣の殻焼きを複数個同時につくる鍋。
【発明の詳細な説明】
【技術分野】
【０００１】本発明は、鍋を使用することにより、剥き身の牡蠣を殻焼き牡蠣に近い状態に、複数個同時に調理するものである。
【背景技術】
【０００２】従来、牡蠣の殻焼きは殻に入ったものを直接焼くことにより調理していたため、開けてみるまで中身の品質が確認できなかった。また、牡蠣の殻を開ける作業は労力を要することに加え、殻の縁が鋭利であるため手を切る危険があった。これまで、剥き身の牡蠣から殻焼き牡蠣を作る器具は存在しなかった。
【発明の開示】
【発明の効果】
【０００３】このようにすれば、初めから剥き身の牡蠣を使用するので、殻を開けてみると中身が小さかった、傷んでいた、異物が混入していたなどといったことが回避できる。また、殻を開ける作業も不要となる。
【発明を実施するための最良の形態】
【０００４】鍋の中に剥き身の牡蠣を入れ蓋をして加熱する。身が焼けたら食することができる。
【図面の簡単な説明】
【０００５】
【図１】蓋をとった鍋の図である。
【図２】鍋の断面図である。
【図３】鍋に蓋をした図である。
【符号の説明】
【０００６】１  鍋
２  蓋
【図１】
2006061656.tif 000003
【図２】
2006061656.tif 000004
【図３】
2006061656.tif 000005
(57)【要約】      （修正有）【課題】前の人が切り離したトイレットペーパーの切れ端を、次の人が速やかに引き出せるトイレットペーパー送りを提供する。【解決手段】  前の人が切り離したトイレットペーパーの切れ端を、いち早く引き出すため、トイレットペーパーの芯に、突起物のついたトイレットペーパー送り１をセットして、回転板２でトイレットペーパーを回すことによって、容易にトイレットペーパーの切れ端を出すことが出来る。【選択図】図１
2006061655.tif 000002
【特許請求の範囲】
【請求項１】
トイレに設置してある紙巻器のトイレットペーパーは、使用するとき前の人が切り離した部分がわかりにくく、ペーパーを引き出すのに苦労するので、これを解消するためにトイレットペーパー送りをトイレットペーパーと一緒にセットし、回転板を回すことによってスムーズに切れ端が出てくる。トイレットペーパーを回すためのトイレットペーパー送り。
【発明の詳細な説明】
【技術分野】
【０００１】本発明は、トイレの紙巻器のトイレットペーパーの端っこをいち早く引き出すことに関する。
【背景技術】
【発明の開示】
【発明が解決しようとする課題】
【０００２】紙巻器からトイレットペーパーを引き出して、必要量を切り離すのみで、次の人への配慮は全く無かった。【０００３】この発明は、前の人が切り離したトイレットペーパーの切れ端を、次の人がいかに速やかに引き出せるようにするか、その方法を考える。
【課題を解決するための手段】
【０００４】前述の目的を達成するため、トイレットペーパーを紙巻器に取り付けるとき、本発明のトイレットペーパー送りを、トイレットパーの芯に差し込んで一緒に紙巻器にセットする。
【発明の効果】
【０００５】本発明のトイレットペーパー送りは、前述の通りトイレットペーパーと一緒に紙巻器にセットした本体横のギザギザ状の円板を指で回すことによって、簡単にトイレットペーパーの切れ端が出てくる。
【発明を実施するための最良の形態】
【０００６】以下、本発明の実施の形態を図１に基づいて説明する。【０００７】図において、１の本体をトイレットペーパーの芯に差し込むトイレットペーパー送りの本体で、トイレットペーパーの芯より細くなっており芯の中へ入るようになっている。【０００８】ペーパー送りの本体をトイレットペーパーへの差込は、左右どちらからでもよく、差し込んだペーパー送りとトイレットペーパーは、紙巻器にセットする。【０００９】紙巻器にセットされたトイレットペーパー送りは、２の回転板のギザギザ状のところ３を指で回すことによって、本体が回り、トイレットペーパーも一緒に回す。４の本体を山折り起こしにして突起物が作ってあるので、トイレットペーパーの芯の内側に引っかかり空回りはしない。【００１０】トイレットペーパー送りの制作材料は、薄くてしっかりとしたものがよく、１８−８ステンレスかプラスチックが適材と思われる。
【図面の簡単な説明】
【００１１】
【図１】本発明の実態を示す、トイレットペーパー送りの本体斜視図。
【図２】トイレットペーパー送りを紙巻器にセットした斜視図。
【符号の説明】
【００１２】１  トイレットペーパー送り本体。
２  本体と一体型となった回転板。
３  回転板を指で回転させるのに、回しやすくするためのギザギザ。
４  トイレットペーパーとトイレットペーパー送りが空転しないための本体の突起物。
５  紙巻器のトイレットペーパー差込の芯に入れるための穴。
【図１】
2006061655.tif 000003
【図２】
2006061655.tif 000004
(57)【要約】【課題】    パチンコ機の遊戯盤面の下部左右コーナーから真上にパチンコ玉を発射できるコンパクトな玉発射装置を提供すること。【解決手段】  パチンコ機の発射玉受け部の真下に垂直方向に滑動する打球子を取り付けてその打球子後端を、駆動部を扁平なコイルと扁平な磁石の組み合わせで構成した回動体の回動端で叩いて、パチンコ玉を真上に発射できるようにした、奥行き寸法が小さくて簡素な構造の玉発射装置を提供する。【選択図】図１
2006061637.tif 000002
【特許請求の範囲】
【請求項１】
本体ケース（１）に設けた滑動案内穴（３）に支持された打球子（２）と、同じく本体ケースに取り付けた回動軸（５）に回動保持された回動体（４）の回動端（１０）が打球子後端（９）に当たるようにしてなる、パチンコ機の玉発射装置。
【請求項２】
請求項１の玉発射装置において、打球子（２）と本体ケース（１）の間にスプリング（１５）を取り付けてなる、パチンコ機の玉発射装置。
【発明の詳細な説明】
【技術分野】
【０００１】  本発明はパチンコ機の玉発射装置の構造に関するものである。
【背景技術】
【０００２】従来のパチンコ機のパチンコ玉打球部には、斜めに取り付けられた発射レール上に止まっている玉を回動アームの先端に取り付けた打球子で直接たたいて発射させる構成のものが多く見られる（図５参照）。又本発明出願人の先行出願発明品に扁平なコイルと一体成型した回動体の回動端に打球子を取り付けて直接玉を叩いて発射させる構造のものがある（図４参照）。
他、
【特許文献１】  特許公開平１０−３２８３５８
【特許文献２】  特許公開２００２−１９１７７４
【特許文献３】  特許公開２００４−１８７９８８
【発明の開示】
【発明が解決しようとする課題】
【０００３】  近年パチンコ遊戯台においては遊戯機としての魅力向上の為遊戯盤面のデザインの多様性が求められている。その１つに玉飛びの変化として従来多く見られる斜め左向き発射ではなく右真上発射と云う方法も一案であるが、従来の回動体の先端に取り付けた打球子で直接玉を打って球を発射させる方法は打球子の先端の軌道がＲ曲線状である為、斜めレール上の玉を打つ場合は問題ないが真上に飛ばすときには打点の位置によって玉飛びの方向が異なってしまうと言う問題が有る（図４参照）。
【課題を解決する為の手段】
【０００４】  本発明のパチンコ機の玉発射装置は打球子を回動体と別体にして垂直方向に滑動するように取り付け、その打球子の真上にセットしたパチンコ玉を打球子の後方を回動体で叩くことにより玉を飛ばすようにする。
【発明の効果】
【０００５】    上記のように構成された打球部によれば打球子の真上にセットされた玉は常に真下から垂直に叩いて飛ばされることになり常に真上に安定した玉飛びを得ることが出来る。
【発明を実施するための最良の形態】
【０００６】  本発明の考案にもとずく最良の形態は、玉受け部、その真下に取り付けた垂直に滑動する打球子、その打球子を叩く回動体、その回動駆動部の構成部を含めたパチンコ玉の発射装置をコンパクトにまとめて、遊戯盤の左右いずれかの下端に取り付け、パチンコ玉の安定した垂直打ちが出来るようにすることである。そのための実施例を下記に述べる。
【実施例１】
【０００７】  図１は本発明の１実施例であって、図２はその断面図であるがその図において、本体ケース１の右上部に玉受け部１１を設けその真下に打球子２を垂直に保持する滑動案内穴３を設けその打球子後端９に回動端１０が当たるように回動体４を回動軸５にて本体ケース１に取り付ける。尚回動体４の駆動部は本体ケース１に取り付けた扁平な磁石７と回動体４と一体になった扁平なコイル８によって構成する。又回動範囲を制限するために回動範囲の両端にストッパー６、６Ａを設ける。【０００８】以上のように構成された本発明品の断面構成は図２に示すように奥行き寸法小さく、簡素なものとなっている。【０００９】  以上のように構成したパチンコ玉発射装置において、コイル８へ通電すると磁石７との間に発生するフレミング左手の法則に基ずく駆動力によって回動体４は矢印１３の方向に回転し回動端１０で打球子後端９を叩く、従って垂直な滑動案内穴３に保持された打球子２が垂直に移動しその真上に設けられた玉受け部１１にセットされたパチンコ玉を真下から叩くことになる即ちパチンコ玉は真上即ち矢印１２の方向に発射される。  その後コイル８に発射時と逆方向の電流を流すと回動体４は発射時と逆矢印１３Ａ方向に駆動されてストッパー６Ａで原位置にとまる、回動体４が下降すると打球子２も自重で下降し原位置に戻る、その間に次のパチンコ玉を玉受け部１１にセットする。以上の動作を繰り返して次々とパチンコ球は真上に発射される。【００１０】  図３は図１の本発明品が扁平でコンパクトな構造をなす玉発射装置であることを利用して斜め発射用に使用する場合の打球子２の戻り力を増すために打球子を押し戻す方向にスプリング１５を取り付けたものである。【００１１】  図６は上記構成の本発明品をパチンコ遊戯台に取り付けた例を示すもので下右隅にとりつけた本発明品の発射装置から矢印１９方向に発射されたパチンコ玉は案内レール１７によって遊戯盤面１６に到達する、即ち図に見られるように本発明品によれば下右端から真上に安定したパチンコ玉の発射させることが出来る簡素なパチンコ機の玉発射装置を提供することが出来る。
【図面の簡単な説明】
【００１２】
【図１】  本発明の実施例１の正面図である。
【図２】  本発明の実施例１のＢ−Ｂ断面図である。
【図３】  本発明の実施例１のＡ部拡大正面図である。
【図４】  背景技術の参考例の正面図である。
【図５】  背景技術の参考例の正面図である。
【図６】  本発明品使用実施例の正面図である。
【符号の説明】
【００１３】１      本体ケース
２      打球子
３      滑動案内穴
４      回動体
５      回動軸
６      ストッパー
７      磁石
８      コイル
９      打球子後端
１０    回動端
１１    玉受け部
１２、１３，１４    矢印
１５    スプリング
１６    遊戯盤面
１７    案内レール
１８    下案内レール
１９    矢印
【図１】
2006061637.tif 000003
【図２】
2006061637.tif 000004
【図３】
2006061637.tif 000005
【図４】
2006061637.tif 000006
【図５】
2006061637.tif 000007
【図６】
2006061637.tif 000008
(57)【要約】【課題】味噌を多くの細い線状にして押し出し、熱湯の中に入れる事により味噌が素早く溶け込みわずらわしい作業をする事無く、簡単でしかも安全に味噌汁を作れる線状味噌押し出し具を提供する。【解決手段】筒状本体１の片側に、多くの線状味噌押し出し穴５を持ったキャップ４を持ち、その端に使用しない時に衛生を保つ為の蓋６を持ち、反対側に味噌を押し出すピストン状の板７を持った物であり、さらにピストン状の板７を親指で押し出す時に他の指を引っ掛ける鍔２を本体１に持ち、さらにその隣に人数を測る目盛１２を持った物である。  さらに本体部分１とは別に薄くて柔らかい材質で出来たカセット式味噌入れ８を持った事を特徴とする。【選択図】  図  １
2006061639.tif 000002
【特許請求の範囲】
【請求項１】
筒状本体１の片側に、多くの線状味噌押し出し穴５を持ったキャツプ４を持ち、その端に使用しない時に衛生を保つ為の蓋６を持ち、反対側に味噌を押し出すピストン状の板７を持った物で有り、さらにピストン状の板７を親指で押し出す時に他の指を引っ掛ける鍔２を本体１に持ち、さらにその隣に人数を測る目盛１２を持った物で有る。
さらに本体部分１とは別に薄くて柔らかい材質で出来たカセット式味噌入れ８を持ち、その端に漏れをふさぐ蓋９を持った線状味噌押し出し具で有る。
【発明の詳細な説明】
【技術分野】
【０００１】  この発明は、筒状本体に味噌を入れ、押し出し板により味噌を数多くの線状に押し出す、味噌押し出し具に関する物で有る。
【技術背景】
【０００２】  従来、味噌汁を作る時、簡単に味噌がお湯の中に溶ける物がなかった。
【発明の開示】
【発明が解決しようとする課題】
【０００３】  従来のやり方は次の様な欠点があった。
（イ）おたまで味噌をすくい、お湯が煮えたぎっている中にそのおたまを入れ箸等でかき回して味噌を溶いていたのでひじょうに熱かった。
（ロ）網の中に味噌を入れ溶ぐと、多少は早く溶ける事はあるのですが、何人分の味噌かなかなか分かりずらかった。
本発明は、これらの欠点を除く為になされたものである。
【課題を解決するための手段】
【０００４】    筒状本体１の片側に、多くの線状味噌押し出し穴５を持ったキャップ４を持ち、その端に使用しない時に衛生を保つ為の蓋６を持ち、反対側に味噌を押し出すピストン状の板７を持った物で有り、さらにピストン状の板７を親指で押し出す時に他の指を引っ掛ける鍔２を持ち、さらに本体に人数を測る目盛１２を付ける。
さらに本体部分１とは別に、薄くて柔らかい材質で出来たカセット式味噌入れ８の中に味噌１０を入れ漏れを防ぐ蓋９を付ける。
本発明は、以上の様な構成よりなる線状味噌押し出し具で有る。
【発明の効果】
【０００５】    本発明は以上の様な構造で、これを使用する時は、多くの味噌押し出し穴を持ったキャップ４を本体１よりはずし、カセット味噌入れ具８の蓋９を取り、それを本体１の中に図２の様に入れふたたびキャップ４を本体に付け、味噌押し出し穴５の方を煮えたぎった鍋の上に持ってゆき、両手で、鍔２の方には人差し指、ピストン７の方には親指をあて、図４の様に親指に力を入れぐっと押せば多くの細い線状の味噌が、煮えたぎったお湯に入り味噌は細くなっているので、一瞬にして味噌汁になってしまう物である。
【発明を実施するための最良の形態】
【０００６】  以下、本案の実施の形態について説明する。
（イ）筒状本体１の片側に多くの味噌押し出し穴５を持ったキャップ４を自由に取り付け取り外し出来る様な構造にし、その先に衛生を保つ為の蓋６を取り外し自由な構造で付ける。
（ロ）その反対側にピストン状の板７を持つ。
（ハ）さらに本体１に人差し指を引っ掛ける鍔２を持ち、その隣に人数を測る目盛１２を付ける。
（ニ）そして別に、薄くて柔らかい材質で出来たカセット式味噌入れ８を持った物である。
（ホ）味噌いれ８に、図２の１１の様に、接着材又は粘着材により押し出しピストン状の板７を始めから付けておいても良い。
本案を使用するときは、押し出し穴を持ったキャップ４を本体１よりはずし、カセット味噌入れ具８の蓋９を取り、それを本体１の中に図２の様に入れふたたびキャップ４を本体に付け、味噌押し出し穴５の方を煮えたぎった鍋の上に持ってゆき、両手で鍔２の方には人差し指、ピストン７の方には親指を当て、図４の様に親指に力をいれぐっと押せば多くの細い線状の味噌が、煮えたぎったお湯入り味噌は細くなっているので、一瞬にして味噌汁になってしまう物である。
【図面の簡単な説明】
【０００７】
【図１】本発明の斜視図である。
【図２】本発明の断面図である。
【図３】紙状の薄い味噌入れの斜視図である。
【符号の説明】
【０００８】１  本体    ２  指で押さえる鍔    ３  ネジ    ４  多くの味噌押し出し穴を持ったキャップ    ５  味噌押し出し穴    ６  衛生を保つための蓋    ７  押し出しピストン    ８  薄い材料で出きたカセット式味噌いれ    ９  味噌いれの蓋    １０  味噌    １１  接着剤及び粘着材    １２  目盛
【図１】
2006061639.tif 000003
【図２】
2006061639.tif 000004
【図３】
2006061639.tif 000005
【図４】
2006061639.tif 000006
【手続補正書】
【提出日】平成16年10月26日(2004.10.26)
【手続補正１】
【補正対象書類名】明細書
【補正対象項目名】０００７
【補正方法】変更
【補正の内容】
【０００７】
【図１】本発明の斜視図である。
【図２】本発明の断面図である。
【図３】紙状の薄い味噌入れの斜視図である。
【図４】本発明の使用例を示した図である。
(57)【要約】【課題】    遊戯盤面の側面下方から遊戯球を打ち込む方式を採用する際に側面下方に設ける玉戻り防止部を、発射玉への影響少なく且玉流れの良い構造体とすること。【解決手段】  下方からの発射玉を案内する側面案内レール２と遊戯球をアウト玉出口１４に案内する下案内レール１の間に、玉戻り防止用のバネ板３を先端が側面案内レール２に接するようにして下案内レール１に固着する。且固着方法には案内レールの案内面に最も影響の少ない溶着加工又はかしめ加工を採用する。【選択図】図１
2006061638.tif 000002
【特許請求の範囲】
【請求項１】
遊戯盤面に下方から打ち上げられる遊戯球の側面案内レール（２）と、下案内レール（１）の間に案内レールより巾の狭い弾性を有するバネ板（３）を先端を側面案内レールに接するようにして下案内レールに溶着してなる、パチンコ機の玉戻り防止部。
【請求項２】
請求項１の玉戻り防止部においてバネ板（３）の固着方法を溶着によらないでバーリングかしめ加工にしてなるパチンコ機の玉戻り防止部。
【発明の詳細な説明】
【技術分野】
【０００１】  本発明はパチンコ機の遊戯球案内レール部の構造に関するものである。
【背景技術】
【０００２】従来のパチンコ遊技機の遊戯盤面への玉の打ち込みは右下の発射装置から発射された玉が左斜め上向きに取り付けられた発射レールに案内されて左側面に取り付けられた外レールと遊戯球を下のアウト玉出口に導く内レールの間を通って左上コーナーより遊戯盤面に放出される形式のものが多く見られる、その際盤面から発射玉経路に玉が逆戻りするのを防止する為にその左上コーナー玉出口部に案内レールとは別体の玉戻り防止装置が取り付けられているのが一般である（図４参照）。
一方遊戯盤面のデザインの多様性を向上させる為遊戯球を左右いずれかのコーナーから真上に打ち上げて内レールをなくする事により遊戯盤面を広く活用したいと言う要望がある。  この方針に基ずいて本発明出願人は右下から真上に遊戯球を発射する発射装置を考案したがその際発射部への玉戻りを防止するに適した従来技術が見当たらなかった。
【特許文献１】  特許公開平８−１５０２４６
【特許文献２】  特許公開平１１−１０４３０２
【特許文献３】  特願２００２−１１３１７３
【発明の開示】
【発明が解決しようとする課題】
【０００３】  上記にも記したような左上コーナーから遊戯球を放出する方式の遊戯台に多く採用されている別体になった玉戻り防止装置は出っ張りが大きく、上部に比べて通過する玉が多くなる下案内レール部ではスムーズな玉流れが望ましいので同装置のような出っ張りの大きな装置を使用することは出来ない。
【課題を解決する為の手段】
【０００４】  上記のように下方より真上に発射される遊戯球を案内する側面案内レールと下案内レールとの間に設ける玉戻り防止部は、その下案内レールの両側を頻繁に遊戯球が通過するのでその邪魔にならないスリムな構造にしなければならない。そこで本発明では薄板バネ一枚のみを直接に案内レールに固着して遊戯球の玉戻り部を構成した。
【発明の効果】
【０００５】    本発明による玉戻り防止部は玉戻り防止の作用をする薄板バネと案内レールの薄板部とを重ねて固着しただけの最もスリムな構造のものであり、その構成と働きの様子を下記に述べる。
【発明を実施するための最良の形態】
【０００６】  本発明を実施する為の最良の形態は発射玉が玉戻り防止部を通過するには最も抵抗少なく且戻り玉の衝突によって変形することのない程度の薄板バネを最も出っ張りの少ない方法で下案内レールに固着して、遊戯球が最も抵抗少なく通過でき且遊戯盤面が出来るだけ広く有効に使用できるように側面案内レール、下案内レール、玉戻り防止部を配置構成することであるが、その為の実施例を下記に述べる。
【実施例１】
【０００７】  図１は本発明の１実施例であって、図２はそのＢ−Ｂ矢視図であるが、その図において、遊技機の右下に真上に遊戯球を発射できる玉発射装置７を取り付けその発射玉経路に沿うように下方は垂直な案内面をなす側面案内レール２を取り付ける。一方中央側下端部が下のアウト玉出口１４に達する下案内レール１の上方右端は側面案内レール２との間に発射玉が通過するだけの間隔をあけて遊戯盤本体１１に固定し、その先端部に下案内レール１より巾の狭いバネ板３を遊戯盤本体１１との間には隙間をあけ、且先端が側面案内レール２に接するような状態になるような位置にバネ板３を下案内レール１に溶着する。【０００８】  以上のように構成された遊戯台において、玉発射装置４から発射された遊戯球は矢印６のように飛んでバネ板３を３Ａ位置に押しのけ側面案内レール２に案内されて遊戯盤面内に到達する、又遊戯盤面からこぼれ落ちてきた遊戯球は左側面側では下案内レール１Ａに案内されて下アウト玉出口１４に到達するが右側側面案内レールに沿って落ちてきた遊戯球はバネ板３に当たって矢印６Ａのように流れるので発射装置の出口方向に入り込むことはない、その際本発明品の玉戻り防止作用をするバネ板の固定部は溶着加工であるので突起部分がなく玉流れがスムーズであり、下方に発射玉出口を設ける際に懸念される玉戻り防止装置の出っ張りによる玉流れの障害が発生するのを防止することが出来る。
【実施例２】
【０００９】  図３図１のＡ部を拡大して請求項２の実施例を示すもので、上記実施例においてバネ板３を下案内レール１に固着する加工方法に溶着加工を採用していたものを、バーリングかしめ加工部４のようにかしめ加工にしたものである、同加工方法の場合下案内レール１の玉流れ面側の出っ張りはないので使用機能上は上記の溶着の場合と全く同等であり、製作加工の際に位置決めがし易いなどの利点がある。【００１０】以上のように本発明品によれば遊戯球を下方の左、右、の側面から真上に打ち込む方式を採用して従来多く採用されている内レールをなくし遊戯盤面の有効利用面の拡大を図ることが出来る。
【図面の簡単な説明】
【００１１】
【図１】本発明の実施例１の正面図である。
【図２】本発明の実施例１のＢ−Ｂ矢視断面図である。
【図３】本発明の実施例２の部分正面図である。
【図４】従来技術例の正面図である。
【符号の説明】
【００１２】１      下案内レール
２      側面案内レール
３      バネ板
４      バーリングかしめ加工部
５      遊戯球
６      矢印
７      玉発射装置
８      玉戻り防止装置
９      外レール
１０    内レール
１１    遊戯盤本体
１２    ガラス面
１３    溶着部
１４    アウト玉出口
【図１】
2006061638.tif 000003
【図２】
2006061638.tif 000004
【図３】
2006061638.tif 000005
【図４】
2006061638.tif 000006
(57)【要約】      （修正有）【課題】  木製指圧用具を、使いやすくより効果があるように改良する。【解決手段】木製指圧用具に入れる妻楊枝の先を少し太めにし平らにする。指圧部分に磁気を取り付ける。【選択図】図２
2006061662.tif 000002
【特許請求の範囲】
【請求項１】
槐樹材一位材健康指圧棒に妻楊枝健康刺激と両端指圧部分に磁気を取り付けた物。
【請求項２】
延樹材一位材人面健康指圧部分に磁気を取り付けた物。
【請求項３】
延樹材一位材魚健康指圧部分に磁気を取り付けた物。
【請求項４】
延樹材一位材動物健康指圧部分に磁気を取り付けた物。
【発明の詳細な説明】
【技術分野】
【０００１】  この発明は槐樹材一位材に妻楊枝刺激と指圧部分に磁気を取り付けた健康指圧に関するものである。
【背景技術】
【０００２】従来健康指圧と妻楊枝刺激でしたが指圧部分に磁気を取り付けた。
【発明の開示】
【発明が解決しようとする課題】
【０００３】  これは次のような問題点があった。
妻楊枝刺激は輪ゴムで束にして使っていたが、不安定で使い勝手が悪く先が尖がっているため傷をすることがあり、妻楊枝の先を少し太めにして、また平らにし使いやすくした。
本発明は欠点をなくし、指圧部分に磁気を取り付けたことにより、よりいっそう便利になった。
【課題を解決するための手段】
【０００４】  槐樹材に健康指圧棒に妻楊枝刺激を入れたものは出願済ですが、槐樹材一位材に妻楊枝刺激と指圧部分に磁気を取り付け構成よりなる商品名を延寿棒とする。
【発明の効果】
【０００５】  健康指圧棒と妻楊枝刺激が一体のなっているのと、妻楊枝刺激と磁気指圧棒が一体となったものにより便利である。
槐樹材（黒褐色）一位材（赤褐色）の木目が綺麗である。
【発明を実施するための最良の形態】
【０００６】  以下、本発明の実施例について説明する。
【図面の簡単な説明】
【０００７】
【図１】本発明における正面図
【図２】妻楊枝入れから蓋を放した図
【図３】妻楊枝上からの図
【図４】人面健康指圧器の正面図
【図５】魚健康指圧器の横面図
【図６】動物健康指圧器の斜め横図
【符号の説明】
【０００８】  １  磁気指圧大
２  磁気指圧小
３  楊枝入れ
４  妻楊枝
５  蓋
６  妻楊枝正面
７  磁気
８  磁気
９  磁気
１０  磁気
１１  磁気
１２  磁気
【図１】
2006061662.tif 000003
【図２】
2006061662.tif 000004
【図３】
2006061662.tif 000005
【図４】
2006061662.tif 000006
【図５】
2006061662.tif 000007
【図６】
2006061662.tif 000008